(57)【要約】      （修正有）【課題】不揮発性の表示部を有する表示装置の書き換えを行う際に、画像検出部によって書き換えが必要な表示装置を判別し、短時間で書き換えを行う表示書き換えシステムを提供する。【解決手段】不揮発性の表示部１０１を有する表示装置１００と、前記表示装置の前記表示部の情報を書き換える書き換え装置１１０を有し、前記表示装置は、前記書き換え装置から送信されるデータを受信する受信部１０６と、識別情報を表示するための識別情報の表示部１０２と、前記表示装置を制御する第一制御部１０４と、を有し、前記書き換え装置は、前記表示装置にデータを送信する送信部１１６と、前記識別情報を検出する検出部１１２と、前記書き換え装置を制御する第二制御部１１４と、を有し、前記第二制御部は、前記検出部で検出した前記識別情報が予め設定された所定情報と一致した場合に、前記表示装置の前記表示部の情報を書き換えると判断する。【選択図】図１
2019033799.tif 000002
【特許請求の範囲】
【請求項１】
不揮発性の表示部を有する表示装置と、前記表示装置の前記表示部の情報を書き換える書き換え装置を有する表示書き換えシステムにおいて、
前記表示装置は、前記書き換え装置から送信されるデータを受信する受信部と、識別情報を表示するための識別情報の表示部と、前記表示装置を制御する第一制御部と、を有し、
前記書き換え装置は、前記表示装置にデータを送信する送信部と、前記識別情報を検出する検出部と、
前記書き換え装置を制御する第二制御部と、を有し、
前記第二制御部は、前記検出部で検出した前記識別情報が予め設定された所定情報と一致した場合に、前記表示装置の前記表示部の情報を書き換えると判断することを特徴とする表示書き換えシステム。
【請求項２】
前記書き換え装置の前記第二制御部は、前記所定情報を記憶しており、前記第二制御部は、前記所定情報を更新することが可能であることを特徴とする請求項１に記載の表示書き換えシステム。
【請求項３】
前記書き換え装置は、前記表示装置に電力を送信するための電力送信部を有し、
前記表示装置は、前記電力送信部から送信された電力を受信する電力受信部を有し、前記電力受信部で受信した電力を前記第一制御部に供給することを特徴とする請求項１または２に記載の表示書き換えシステム。
【請求項４】
前記電力送信部と前記電力受信部はアンテナであって、無線で電力を供給することを特徴とする請求項３に記載の表示書き換えシステム。
【請求項５】
前記表示装置は、第一接触部を有し、前記書き換え装置は、第二接触部を有し。
前記書き換え装置の前記第二制御部は、前記第一接触部と前記第二接触部が接触した状態で前記表示装置の前記表示部の情報を書き換えることを特徴とする請求項１乃至３のいずれか１項に記載の表示書き換えシステム。
【請求項６】
前記書き換え装置は、前記表示装置の前記表示部の情報を書き換えた後に、前記検出部を用いて、前記表示装置の前記表示部に表示された情報を検出し、検出した情報と、前記表示装置に送信した情報に基づき、前記表示装置の書き換えが正しく行われたか否かを判断することを特徴とする請求項１乃至５のいずれか１項に記載の表示書き換えシステム。
【請求項７】
前記書き換え装置は、更に表示部を有し、前記書き換え装置は、前記検出部を用いて、前記識別情報を検出し、検出結果に基づき、前記書き換え装置の前記表示部に更新が必要な表示装置を示すための情報を表示することを特徴とする請求項１乃至６のいずれか１項に記載の表示書き換えシステム。
【請求項８】
前記書き換え装置は、更に、移動手段を有し、前記書き換え装置は、前記表示装置の近くに、前記移動手段で移動しながら、前記検出部を用いて、前記識別情報を検出する、若しくは、前記表示装置の前記表示部の情報を書き換えることを特徴とする請求項１乃至７のいずれか１項に記載の表示書き換えしシステム。
【請求項９】
表示装置に設けられた不揮発性の表示部の情報を書き換えるための表示書き換え装置において、
前記表示装置にデータを送信する送信部と、
前記表示装置に表示された識別情報を検出する検出部と、
前記検出部で検出した前記識別情報と予め設定された所定情報が一致した場合に、前記表示装置の前記表示部の情報を書き換えると判断する制御部と、を有することを特徴とする表示書き換え装置。
【請求項１０】
前記制御部は、前記所定情報を記憶しており、前記制御部は、前記所定情報を更新することが可能であることを特徴とする請求項９に記載の表示書き換え装置。
【請求項１１】
前記制御部は、前記表示装置の前記表示部の情報を書き換えた後に、前記検出部を用いて、前記表示装置の前記表示部に表示された前記識別情報を検出し、検出した情報と、前記表示装置に送信した情報に基づき、前記表示装置の書き換えが正しく行われたか否かを判断することを特徴とする請求項９または１０に記載の表示書き換えシステム。
【請求項１２】
更に表示部を有し、前記制御部は、前記検出部を用いて、前記識別情報を検出し、検出結果に基づき、前記書き換え装置の前記表示部に更新が必要な表示装置を示すための情報を表示することを特徴とする請求項９乃至１１のいずれか１項に記載の表示書き換えシステム。
【請求項１３】
更に、移動手段を有し、前記書き換え装置は、前記表示装置の近くに、前記移動手段で移動しながら、前記検出部を用いて、前記識別情報を検出する、若しくは、前記表示装置の前記表示部の情報を書き換えることを特徴とする請求項９乃至１２のいずれか１項に記載の表示書き換え装置。
【発明の詳細な説明】
【技術分野】
【０００１】
本発明は、不揮発性の表示部を有する表示装置及び、その表示装置の表示を書き換えるシステムに関する。
【背景技術】
【０００２】
商店等の店舗内において商品の価格を表示する棚札として、紙片やシールが用いられている。近年、このような、紙媒体の棚札の代替えとして、電子棚札やデジタルサイネージ（電子的な表示機器を使って情報を発信するシステム）が広く用いられている。
【０００３】
電子棚札やデジタルサイネージの表示装置には、電子ペーパー等の不揮発性の表示部を有する装置が用いられる場合がある。なお、ここで不揮発性の表示部とは、表示部への電力供給が遮断されても、表示部の表示状態が保持される表示部のことである。これらの、表示装置の表示部の表示状態を書き換える手段として、特許文献１には、表示装置と書き換え装置が無線で通信して、書き換え装置から表示するデータを表示装置に送信することで、表示装置の表示部の表示を書き換える方法が提案されている。
【先行技術文献】
【特許文献】
【０００４】
【特許文献１】特開２０１４−１３１４６０号公報
【発明の概要】
【発明が解決しようとする課題】
【０００５】
特許文献１に記載の書き換え方法は、書き換え装置から識別情報を送信し、その識別情報が自身の識別情報と一致するか否かを判断して一致する場合に書き換えを行う方法である。このような方法では、書き換えを完了するまでに時間を要してしまう。
【課題を解決するための手段】
【０００６】
上記課題を解決するための本発明の表示書き換えシステムは、不揮発性の表示部を有する表示装置と、前記表示装置の前記表示部の情報を書き換える書き換え装置を有する表示書き換えシステムにおいて、前記表示装置は、前記書き換え装置から送信されるデータを受信する受信部と、識別情報を表示するための識別情報の表示部と、前記表示装置を制御する第一制御部と、を有し、前記書き換え装置は、前記表示装置にデータを送信する送信部と、前記識別情報を検出する検出部と、前記書き換え装置を制御する第二制御部と、を有し、前記第二制御部は、前記検出部で検出した前記識別情報が予め設定された所定情報と一致した場合に、前記表示装置の前記表示部の情報を書き換えると判断することを特徴とする。
【０００７】
また、本発明の表示書き換え装置は、表示装置に設けられた不揮発性の表示部の情報を書き換えるための表示書き換え装置において、前記表示装置にデータを送信する送信部と、
前記表示装置に表示された識別情報を検出する検出部と、前記検出部で検出した前記識別情報と予め設定された所定情報が一致した場合に、前記表示装置の前記表示部の情報を書き換えると判断する制御部と、を有することを特徴とする。
【発明の効果】
【０００８】
本発明によれば、不揮発性の表示部を有する表示装置の書き換えを行う際に、画像検出部によって書き換えが必要な表示装置を判別し、短時間で書き換えを行うことができる。
【図面の簡単な説明】
【０００９】
【図１】実施例１の表示書き換えシステムの制御ブロック図
【図２】実施例１の表示装置
【図３】実施例１の書き換え装置
【図４】実施例１の表示装置の書き換えシーケンスを示すフローチャート
【図５】実施例２の表示書き換えシステムの制御ブロック図
【図６】実施例２の書き換え装置
【図７】実施例２の表示装置の書き換えシーケンスを示すフローチャート
【図８】実施例３の表示書き換えシステムの制御ブロック図
【図９】実施例３の表示装置
【図１０】実施例３の書き換え装置
【図１１】実施例４の制御ブロック図
【図１２】実施例４の書き換え装置
【発明を実施するための形態】
【００１０】
［実施例１］
実施例１では、電子棚札やデジタルサイネージのような表示装置を、多数書き換える必要がある状況に適した表示書き換え装置及び、表示書き換えシステムついて説明する。本実施例では、図３に示すとおり、ユーザが持ち運び可能な書き込み装置１１０を用いて、図２に示す表示装置１００の書き換えを行うシステムについて説明する。
【００１１】
図１は本実施例１の表示装置１００及び、書き換え装置１１０、データベース１２０の機能を説明するための表示書き換えシステムの制御ブロック図である。最初に表示装置１００について説明する。表示装置１００は不揮発性の表示部１０１に必要な情報を表示するための装置である。第一制御部１０４は、電力受信部１０３によって出力された直流電圧で動作する制御部である。第一制御部１０４は、情報受信部１０６から受信した情報に基づき、不揮発性の表示部１０１の書き換えを実行する。また、識別情報の表示部１０２は、表示装置１００を識別するための情報が表示された表示部である。
【００１２】
次に、書き換え装置１１０について説明する。書き換え装置１１０は表示装置１００の書き換えを行うための装置である。画像検出部１１２は、静止画及び動画を検出するためのセンサーであり、表示装置１００の識別情報の表示部１０２の情報を検出する。電力送信部１１３は、電力受信部１０３に対して電力を供給する。情報送信部１１６は、情報受信部１０６に、データベース１２０に記憶されている、表示装置１００の不揮発性の表示部１０１の表示情報を送信する。表示部１１１は、書き換えが必要な表示装置１００の位置をユーザに報知する。第二制御部１１４は、書き換え装置１１０の制御や、書き換え装置１１０とデータベース１２０との通信を制御する。
【００１３】
データベース１２０は、書き換え装置１１０と通信可能なサーバーコンピュータであり、識別情報の表示部１０２の識別情報と、不揮発性の表示部１０１の表示情報、表示装置１００の書き換えが必要か判断するための情報が紐づけられたデータベースである。なお、データベース１２０としては、書き換え装置１１０に内蔵された不図示の記憶装置にデータを記憶する構成でも良い。
【００１４】
次に、図２及び図３では、表示装置１００及び、書き込み装置１１０の具体例について示す。図２は表示装置１００の一例である。図２（Ａ）は表示装置１００の表面を示す図である。表示装置１００の不揮発性の表示部１０１には、電力が供給されていない状態でも情報が表示された状態を維持できるように、電子ペーパー等の不揮発性の表示手段が用いられている。識別情報の表示部１０２には、カラーバーコードが予めオフセット印刷されている。カラーバーコードには、マゼンタ、イエロー、シアン、ブラックの４色で構成された色の並びを個々に変更することによって、表示装置１００の個体を識別することができるようにしている。カラーバーコードを用いることで、画像検出部１１２と表示装置１００の距離が離れている状態、また、検出する方向に対して傾きがある状態でも、精度良く表示装置１００のカラーバーコードを検出することができる。なお、カラーバーコードの代わりに、単色のバーコードや、２次元バーコードを代わりに用いても良い。
【００１５】
図２（Ｂ）は表示装置１００の内部を示す図である。表示装置１００にはアンテナ１０３ｂと電気回路１０３ａで構成された電力受信部１０３が設けられている。この電力受信部１０３は、電磁誘導、磁界共鳴、電界共鳴、マイクロ波などを用いた、無線の電力供給手段であり、このような手段を用いて、書き換え装置１１０から表示装置１００へ電力供給を行っている。電力受信部１０３は、アンテナ１０３ｂで受信した電力を整流平滑し、安定化した直流電圧を第一制御部１０４に供給している。また、表示装置１００には、書き換え装置１１０から情報を受信するため、マイクロ波を用いた情報受信部１０６が内蔵されている。また、情報受信部１０６には、マイクロ波以外の方法として、赤外線を用いた光通信などの他の通信手段を用いても良い。
【００１６】
図３には書き換え装置１１０の例を示す。図３（Ａ）は書き換え装置１１０の表面を示す図である。書き換え装置１１０の表示部１１１は、動画、静止画を表示可能な、液晶や有機ＥＬなどを用いた表示部である。図３（Ｂ）は書き換え装置１１０の裏面を示す図である。書き換え装置１１０の裏面には、静止画及び、動画を検出可能なセンサーである画像検出部１１２が設けられている。また、書き換え装置１１０の背面には、電力送信部１１３がカバーの下に設けられている。図３（Ｃ）は書き換え装置１１０の内部を示す図である。
【００１７】
書き換え装置１１０には、アンテナ１１３ｂと電気回路１１３ａで構成された電力送信部１１３が設けられており、前述したように、無線の電力供給手段を用いて、書き換え装置１１０から表示装置１００へ電力供給を行っている。また、書き換え装置１１０には、書き換え装置１００へ情報を送信するための情報送信部１１６が内蔵されている。第二制御部１１４は、表示部１１１、画像検出部１１２、情報送信部１１６、電力送信部１１３の制御及び、データベース１２０との通信を制御している。図４は本実施形１の書き換え装置１１０の第二制御部１１４による、表示装置１００の書き換えシーケンスを説明するフローチャートである。以下、フローチャートのステップ毎にシーケンスを説明する。
【００１８】
Ｓ４０１で、表示装置１００の書き換えシーケンスが開始されるとＳ４０２に進む。Ｓ４０２では、画像検出部１１２で検知した静止画情報又は動画情報を画像認識する。そして、表示部１１１に表示するとともに、識別情報の表示部１０２を検出すると、Ｓ４０３に進む。Ｓ４０３では、データベース１２０に予め記憶されている所定情報と識別情報の表示部１０２を認識した情報に基づき、夫々の情報を比較して一致した場合に、表示装置１００の書き換えが必要な装置であると判断する。表示装置１００の書き換えが必要な場合にはＳ４０４に進み、書き換えが不要の場合にはＳ４０２に戻る。
【００１９】
ここで、例えば、表示装置が電子棚札であれば、書き換えの対象となる商品の電子棚札を示す所定情報を予め設定（記憶）しておき、画像検出部による検出結果の情報と所定情報を比較して一致するかどうかを判断する。なお、この所定情報は書き換える対象を識別するための情報であり、適宜更新することが可能である。更新方法としは、例えば、不図示の外部コンピュータと接続することにより、外部コンピュータからの指示に応じて更新することが可能である。
【００２０】
Ｓ４０４では、書き換えが必要な表示装置１００をユーザに報知するため、表示部１１１に、書き換えが必要な表示装置１００とその位置を示すための情報を表示する。また、書き換えが必要な表示装置１００を複数検出した場合には、表示部１１１に、書き換えが必要なすべての表示装置１００の位置を指示する情報を表示する。表示する方法としては、例えば、表示部１１１に画像検出部１１２で検出した画像を表示すると共に、書き換えが必要な表示装置１００の箇所を赤枠で囲んで強調表示する方法を用いることができる。
【００２１】
また、書き換え装置１１０に不図示の位置検出手段や、方位検出手段を設けておき、表示部１１１に簡易なレイアウト図を表示するとともに、レイアウト図において表示装置１００の位置を点滅するように示す方法も考えられる。このように、表示装置１００の位置を表示する方法としては、種々の表示方法を適用する事ができる。
【００２２】
そして、表示部１１１の表示情報によって、ユーザに書き換えが必要な表示装置１００への接近を促し、Ｓ４０５に進む。Ｓ４０５では、表示部１１１の情報に基づき、ユーザが書き換え装置１１０を、表示装置１００への電力供給が可能な位置まで移動させると、書き換え装置１１０は表示装置１００への電力供給を行う。そして、書き換え装置１１０は、表示装置１００にデータベース１２０にある、識別情報の表示部１０２に紐づけられた表示情報を送信し、不揮発性の表示部１０１の表示情報を更新し、Ｓ４０６へ進む。
【００２３】
Ｓ４０６では、表示装置１００の不揮発性の表示部１０１の表示状態を、画像検出部１１２で検出してＳ４０７に進む。Ｓ４０７では、表示装置１００の不揮発性の表示部１０１の表示状態が、データベース１２０の情報と識別情報の表示部１０２に基づき、正しく書き換わっているか判断する。正しく書き換わっている場合にはＳ４０８に進み、表示装置１００の更新が完了した情報をデータベース１２０に登録する。正しく書き換えを行うことができなかった場合には、Ｓ４０９に進み、表示装置１００の故障情報をデータベース１２０に登録する。
【００２４】
以上の処理によって、表示装置１００を書き換えるシーケンスを行うことができる。上記のシーケンスを繰り返し実行することで、ユーザは書き換え装置１１０を用いて、複数の表示装置１００の書き換えを容易に行うことができる。
【００２５】
纏めると、本実施例の表示装置１００及び、書き換え装置１１０は下記の特徴を有している。
・書き換え装置１１０から、表示装置１００に電力給電を行うため、バッテリーが不要である。
・更新が必要な表示装置１００にのみ選択的に電力供給の指示を行うため、複数の表示装置１００の書き換えにかかる時間を短縮することができる。
・表示装置１００の識別情報の表示部１０２と、書き換え装置１１０の画像検出部１１２と、データベース１２０を用いることで、短時間で書き換えの必要な表示装置を特定することができる。また、ユーザに更新が必要な表示装置１００の位置を表示部１１１で指示することができる。
・識別情報１０２、画像検出部１１２と、データベース１２０を用いることで、表示装置１００の表示情報が正しく更新されたことを確認することができる。
・識別情報１０２にカラーバーコードを用いることで、遠距離にある複数の表示装置１００を認識することができる。
【００２６】
以上説明したように、本実施例によれば、不揮発性の表示部を有する表示装置の書き換えを行う際に、画像検出部によって書き換えが必要な表示装置を判別し、短時間で表示装置を特定することができる。更に、選択的に表示装置に電力を供給して表示を書き換えることができるので、信頼性が高く、効率的な表示装置の書き換え手段を提供できる。
【００２７】
［実施例２］
実施例２の書き換え装置２１０は、実施例１の書き換え装置１１０に対して、移動部２２０を有することで、複数の表示装置１００の書き換えを自動で行う点が異なる。尚、実施例１と同様の構成に関しては、同一の符号を付して説明を省略する。図５は本実施例２の表示装置１００及び、書き換え装置２１０、データベース１２０の制御ブロック図を示している。書き換え装置２１０の移動部２２０は第二制御部１１４によって制御される、台車２２９とアーム２２８から構成されている。移動部２２０を有することで、画像検出部１１２で検出した表示装置１００の位置まで、書き換え装置２１０を自走して移動させることができる。
【００２８】
図６には書き換え装置２１０の例を示す。台車２２７は４輪駆動する不図示の電動モータで動作する台車であり、第二制御部１１４の制御信号に基づき動作する。アーム２２８は、４軸（図６に矢印で示す４つの軸）を駆動可能な不図示の電動モータで動作するアームであり、第二制御部１１４の制御によって動作している。画像検出手段１１２及び、電力送信部１１３はアームの先端に取り付けており、台車２２７及び、アーム２２８の動作によって、表示装置１１０に接近できる。尚、本実施例２では移動手段の一例として、台車２２７とアーム２２８を用いる方法を説明したが、ドローンのような飛行手段等の他の移動手段でもよい。
【００２９】
図７は本実施形２の書き換え装置２１０の第二制御部１１４による、表示装置１００の書き換えシーケンスを説明するフローチャートである。以下、フローチャートのステップ毎にシーケンスを説明する。
【００３０】
Ｓ５０１では、画像検出部１１２を用いて、識別情報の表示部１０２を検出するまで、移動部２２０によって移動を続ける。
【００３１】
Ｓ５０２では、画像検出部１１２と、移動部２２０によって、更新する必要がある表示装置１００に電力供給が可能な距離まで接近する。
【００３２】
Ｓ５０３では、データベース１２０に基づき、全ての表示装置１００の更新が完了したかを判断する。更新する必要がある表示装置１００が残っている場合には、Ｓ５０１に戻り制御を継続する。更新する必要がある表示装置１００が残っていない場合には、制御を終了する。このように、本提案の表示装置１００及び、書き換え装置２１０は下記の特徴を有している。
【００３３】
纏めると、本実施例の表示装置１００及び、書き換え装置１１０は下記の特徴を有している。
・書き換え装置１１０から、表示装置１００に電力給電を行うため、バッテリーが不要である
・更新が必要な表示装置１００にのみ選択的に電力供給を行うため、複数の表示装置１００の書き換えにかかる時間を短縮することができる。
・表示装置１００の識別情報１０２と、書き換え装置２１０の画像検出部１１２と、移動部２２０と、データベース１２０を用いることで、更新が必要な表示装置１００に電力供給可能な距離まで自動的に近づくことができる。従って、短時間で複数の表示装置１００を順次書き換えることができる。
・識別情報１０２、画像検出部１１２と、データベース１２０を用いることで、表示装置１００の表示情報が正しく更新されたことを確認することができる
・識別情報１０２にカラーバーコードを用いることで、遠距離にある複数の表示装置１００を認識することができる。
【００３４】
以上説明したように、本実施例によれば、不揮発性の表示部を有する表示装置の書き換えを行う際に、画像検出部によって書き換えが必要な表示装置を判別し、選択的に表示装置に電力給電を行うことで、短時間で表示装置を特定することができる。更に、信頼性が高く、効率的な表示装置の書き換え手段を提供できる。
【００３５】
［実施例３］
実施例３の書き換え装置３１０は、実施例１の書き換え装置１１０に対して、無線の電力送受信手段と、情報通信手段の代わりに接触式で通信する構成が異なる。具体的には、表示装置３００と書き換え装置３１０とが夫々、接触部（コンタクトともいう）を有し、接触部で接触して通信経路を形成する構成である。図８のブロック図に示すように、コンタクト３０５及び、コンタクト３１５は書き換え装置３１０から、表示装置３００への電力給電と情報通信を行うために用いられている。図９に示す表示装置３００には、表面に第一接触部としてのコンタクト３０５が設けられており、第一制御部１０４へ電力供給や不揮発性の表示部１０１の表示情報の送信を行っている。図１０に示す書き換え装置３１０は、ケーブルを介して接続された第二接触部としてのコンタクト３１５を有しており、コンタクト３１５を、表示装置３００のコンタクト３０５へ接続し易くなっている。
【００３６】
本実施例で説明した、コンタクト３０５及び、コンタクト３１５を用いる方法のメリットについて説明する。実施例１で説明した、無線の電力供給手段及び、情報通信手段を用いる代わりに、本実施例では、コンタクト３０５、コンタクト３１５により接続する構成（電気的な接続経路を構成する）である。これにより、無線による電力給電や無線による情報通信に必要なアンテナや回路を削減できるため、回路規模を小さくでき、かつ、回路コストを大幅に低減できる。電子棚札やデジタルサイネージに表示装置３００を用いる場合、多数の表示装置３００が用いられるため、表示装置３００のコストを低減する重要性が高い。
【００３７】
このように、表示装置３００及び、書き換え装置３１０を接触させると、本実施例３で説明したコンタクトを用いた方法によって、表示装置３００に用いられる回路基板を小さくして、コストを下げることができる。しかしながら、多数の表示装置３００に対してそれぞれ、書き換え装置３１０を接触させて、表示状態を更新する作業は煩雑である。そこで、実施例１で説明したのと同様のシーケンスを採用する。これにより、画像検出部１１２で、更新が必要な表示装置１００を判別し、表示部１１１に指示することによって、効率的に表示装置１００の書き換え作業が可能となる。
【００３８】
以上説明したように、本実施例によれば実施例１で説明した効果に加えて、さらに回路規模を小さくしコストを低減することができる。
【００３９】
［実施例４］
実施例４の書き換え装置４１０は、実施例２の書き換え装置２１０に対して、無線の電力送信手段と、情報通信手段の代わりに接触式で通信する構成が異なる。具体的には、表示装置４００と書き換え装置４１０とが夫々、接点（コンタクトともいう）を有し、接点で接触して通信経路を形成する構成である。図１１のブロック図に示すように、コンタクト３０５及び、コンタクト３１５は書き換え装置４１０から、表示装置３００への電力給電と情報通信を行うために用いられている。図１２に示す書き換え装置４１０は、画像検出手段１１２及び、コンタクト３１５はアームの先端に取り付けており、台車２２７及び、アーム２２８の動作によって、表示装置３００のコンタクト３０５にコンタクト３１５を接触させることができる。
【００４０】
このように、表示装置３００及び、書き換え装置３１０を接触させると、本実施例３で説明したコンタクトを用いた方法によって、表示装置３００に用いられる回路基板を小さくして、コストを下げることができる。多数の表示装置３００に対してそれぞれ、書き換え装置４１０を接触させて、表示状態を更新する作業は煩雑である。しかしながら、本実施例４の書き換え装置４１０では、表示状態を更新する作業を自動化することができ、また、更新が必要な表示装置３００にのみ選択的に電力供給を行うため、複数の表示装置３００の書き換えにかかる時間を短縮できる。
【００４１】
以上説明したように、本実施例によれば実施例１で説明した効果に加えて、さらに回路規模を小さくしコストを低減することができる。
【符号の説明】
【００４２】
１００  表示装置
１０１  不揮発性の表示部
１０２  識別情報の表示部
１０３  電力受信部
１０４  第一制御部
１０６  情報受信部
１１０  書き換え装置
１１２  画像検出部
１１３  電力送信部
１１４  第二制御部
１１６  情報送信部
１２０  サーバーコンピュータのデータベース
【図１】
2019033799.tif 000003
【図２】
2019033799.tif 000004
【図３】
2019033799.tif 000005
【図４】
2019033799.tif 000006
【図５】
2019033799.tif 000007
【図６】
2019033799.tif 000008
【図７】
2019033799.tif 000009
【図８】
2019033799.tif 000010
【図９】
2019033799.tif 000011
【図１０】
2019033799.tif 000012
【図１１】
2019033799.tif 000013
【図１２】
2019033799.tif 000014